(57)【要約】      （修正有）【課題】タッチパネルにおける金属信号線と可視領域電極の付着力を上げ、金属信号線と可視領域電極の信号の伝送安定性を上げるタッチパネルを提供する。【解決手段】タッチセンサー２１を含むタッチパネル２であって、タッチセンサー２１は、可視領域電極１１１と、可視領域電極１１１に配置されるバッファ層２１１と、バッファ層２１１に配置される金属信号線１１２とを有している。【選択図】図３
0003194882.tif 000002
【実用新案登録請求の範囲】
【請求項１】
タッチセンサーを含むタッチパネルであって、
前記タッチセンサーは、透明基板と、
前記透明基板に設けられた可視領域電極と、
前記透明基板と隣接して前記可視領域電極に配置されるバッファ層と、
前記透明基板と隣接して前記バッファ層に配置される金属信号線と、を含み、
前記金属信号線は、前記バッファ層に通じて間接的に前記可視領域電極と接続されていることを特徴とするタッチパネル。
【請求項２】
タッチセンサーを含むタッチパネルであって、
前記タッチセンサーは、
可視領域電極と、
前記可視領域電極に配置されるバッファ層と、
前記バッファ層に配置される金属信号線と、を含むことを特徴とするタッチパネル。
【請求項３】
前記バッファ層は、無機導電性材料を含むことを特徴とする請求項２に記載のタッチパネル。
【請求項４】
前記無機導電性材料は、カーボンペーストであることを特徴とする請求項３に記載のタッチパネル。
【請求項５】
前記バッファ層は、前記可視領域電極及び前記金属信号線との間の付着力を高めるためのものであって、前記無機導電性材料の安定性によって、前記可視領域電極と前記金属信号線の信号の伝送安定性を更に高めることを特徴とする請求項３に記載のタッチパネル。
【請求項６】
前記金属信号線は、3μm〜15μm範囲内の第一厚みを有し、
前記バッファ層は、3μm〜15μm範囲内の第二厚みを有し、
前記可視領域電極は、7μm以下の第三厚みを有することを特徴とする請求項２に記載のタッチパネル。
【請求項７】
タッチセンサーを含むタッチパネルであって、
前記タッチセンサーは、
可視領域電極と、
金属信号線と、
前記可視領域電極と前記金属信号線との間に配置されているバッファ層と、を含むことを特徴とするタッチパネル。
【請求項８】
前記バッファ層は、前記可視領域電極と前記金属信号線と密接され、
前記バッファ層は、無機導電性材料であり、
前記バッファ層は、可視領域電極と前記金属信号線との間の付着力を高めるためのものであって、前記無機導電性材料の安定性によって、前記可視領域電極と前記金属信号の信号の伝送安定性を更に高めることを特徴とする請求項７に記載のタッチパネル。
【請求項９】
前記金属信号線は、3μm〜15μm範囲内の第一厚みを有し、
前記バッファ層は、3μm〜15μm範囲内の第二厚みを有し、
前記可視領域電極は、7μm以下の第三厚みを有することを特徴とする請求項７に記載のタッチパネル。
【請求項１０】
タッチセンサーを含むタッチパネルであって、
前記タッチセンサーは、
可視領域電極と、
金属信号線と、
電気的な接続を強化するように、前記可視領域電極と前記金属信号線との間に配置される接続強化装置とを備えることを特徴とするタッチパネル。
【考案の詳細な説明】
【関連出願と優先権主張の相互参照】
【０００１】
本出願は、台湾経済部智慧財産局での２０１４年５月２６日に出願された実用新案出願第１０３２０９２２２号に基づく利益を主張し、当該実用新案出願の開示は、参照によって本明細書に組み込まれる。
【技術分野】
【０００２】
本考案は、タッチパネルと関し、特にはバッファ層を含むタッチセンサーを有するタッチパネルと関する。
【背景技術】
【０００３】
従来技術は、タッチパネルのタッチセンサーの製作においては、透明導電材料を用いて可視領域（view area/viewport）の電極を製作し、高導電材料（例えば銀、銅、マンガン、アルミ（Ａg/Ｃu/Ｍo/Ａl））を用いて、可視領域の信号を信号の出力口に導いて、フレキシブル回路板（ＦＰＣ）を使って信号を集積回路（ＩＣ）と接続する。図１は、従来のタッチパネルの上面図を示している。タッチパネル１は、複数の可視領域電極１１１及び複数の金属信号線１１２を含んでいる。すべての可視領域電極１１１の上には、それぞれに対応する金属信号線１１２が設けられている。図２は、従来のタッチパネルを示す図である。図２において、タッチパネル１は、タッチセンサー１１を備え、タッチセンサー１１は、可視領域電極１１１、それに設置された金属信号線１１２及び透明基板１１３を有する。図２に示すように、可視領域電極１１１と金属信号線１１２は、それぞれ透明基板１１３と隣接している。
【考案の概要】
【考案が解決しようとする課題】
【０００４】
ただし、前述従来タッチパネルのタッチセンサーに含まれる金属信号線は、可視領域電極との材料が類似する場合、両者の間に電気遊離が生じやすい。可視領域電極にナノ銀（例えば：透明導電膜ITO）を使用し、それに設置された金属信号線の材料は同じまたは類似（銀成分を含有する）する場合、電流が導通された後に、可視領域電極のITOと金属信号線に含まれた銀は、電流の流動に従って遊離し、可視領域電極と金属信号線との間の接着が失敗してしまう。そのため、いかに金属信号線と可視領域電極の付着力を上げることと、金属信号線と可視領域電極の信号の伝送安定性を上げることは、非常に重要な課題である。
【０００５】
従来技術の欠陥や改善点などを鑑み、それを改良する意欲が生じ、本考案の「バッファ層を有するタッチパネル」を創作した。
【課題を解決するための手段】
【０００６】
本考案の目的は、タッチセンサーを含むタッチパネルであって、前記タッチセンサーは可視領域電極と、前記可視領域電極に設置されたバッファ層と、金属信号線であって、前記バッファ層に設置され、前記金属信号線と前記可視領域との間の付着力を上げ、前記バッファ層の安定性によって前記可視領域電極と前記金属信号線の信号の伝送安定性を高める前記金属信号線と、を有するタッチパネルを提供することである。
【０００７】
本考案のもう一つ目的は、タッチセンサーを含むタッチパネルであって、前記タッチセンサーは、透明基板と、前記透明基板に設けられた可視領域電極と、前記透明基板と隣接して前記可視領域電極に配置されるバッファ層と、前記透明基板と隣接して前記バッファ層に配置される金属信号線と、を含み、前記金属信号線は、前記バッファ層に通じて間接的に前記可視領域電極と接続されているタッチパネルを提供することである。
【０００８】
本考案のもう一つ目的は、タッチセンサーを含むタッチパネルであって、前記タッチセンサーは、可視領域電極と、前記可視領域に配置されるバッファ層と、前記バッファ層に配置される金属信号線とを有するタッチパネルを提供することである。
【０００９】
本考案のもう一つ目的は、タッチセンサーを含むタッチパネルであって、前記タッチセンサーは、可視領域電極と、金属信号線と、前記可視領域電極と前記金属信号線との間に配置されているバッファ層と、を含むタッチパネルを提供することである。
【００１０】
本考案のもう一つ目的は、タッチセンサーを含むタッチパネルであって、前記タッチセンサーは、可視領域電極と、金属信号線と、電気的な接続を強化するように、前記可視領域電極と前記金属信号線との間に配置される接続強化装置とを備えるタッチパネルを提供することである。
【図面の簡単な説明】
【００１１】
本考案の目的、特徴、長所などをもっと理解しやすくするために、以下は好ましい実施例を挙げ、添付図面に併せて詳しく説明する。
【図１】従来のタッチパネルの上面図である。
【図２】従来のタッチパネルを示す図である。
【図３】図３は、本考案の構想に基づく好ましい実施例のタッチパネルを示す図である。
【考案を実施するための形態】
【００１２】
図３は、本考案の好ましい実施例のタッチパネルを示す図である。図３においては、タッチパネル２は、タッチセンサー２１を含む。タッチセンサー２１は、可視領域電極１１１と、可視領域電極１１１に設けられたバッファ層２１１と、バッファ層２１１に設けられた金属信号線１１２と、透明基板１１３とを有する。可視領域電極１１１と、バッファ層２１１と、金属信号線１１２は、それぞれ透明基板１１３に隣接する。
【００１３】
図３に示すように、バッファ層２１１は、無機導電材料を含み、例えばカーボンペーストである。これによって金属信号線１１２と可視領域電極１１１との付着力を高める一方、バッファ層２１１の安定性によって可視領域電極１１１と金属信号線１１２の信号の伝送安定性を上げる。また、バッファ層２１１を構成する材料は、可視領域電極１１１及び金属信号線１１２を構成する材料とは異なるため、バッファ効果が生じる。これによって、図２に示す従来タッチパネル１においてタッチセンサー１１に含まれている金属信号線１１２と可視領域電極１１１は、互いの材料が類似するため、遊離が生じやすく、可視領域電極１１１と金属信号線１１２との間の接着が失敗してしまう問題は避けられる。
【００１４】
即ち、本考案の望ましい実施例に基づいて、図３に示すバッファ層は、接続強化装置であって、可視領域電極１１１と金属信号線１１２との間に配置され、両者の間の電気的な接続を強化する。もちろん、もし当業者は他の加工方法によって可視領域電極１１１と金属信号線１１２との接続付着力を高めると、可視領域電極１１１と金属信号線１１２との間の接続力を強化するという同じ目的を達成できる（例えば、可視領域電極と金属信号線１１２とは互いに凹凸形状で嵌合し、かつ互いに緊密にくっ付ける場合は、両者間の付着力を高めることができる）。
【実施例】
【００１５】
以下はより多くの実施例を挙げてさらに説明する。
実施例１、タッチセンサーを含むタッチパネルであって、前記タッチセンサーは、透明基板と、前記透明基板に設けられた可視領域電極と、前記透明基板と隣接して前記可視領域電極に配置されるバッファ層と、前記透明基板と隣接して前記バッファ層に配置される金属信号線と、を含み、前記金属信号線は、前記バッファ層に通じて間接的に前記可視領域電極と接続されているタッチパネル。
【００１６】
実施例２、タッチセンサーを含むタッチパネルであって、前記タッチセンサーは、可視領域電極と、前記可視領域電極に配置されるバッファ層と、前記バッファ層に配置される金属信号線と、を含むタッチパネル。
【００１７】
実施例３、前記バッファ層は、無機導電性材料を含む実施例２に記載のタッチパネル。
【００１８】
実施例４、前記無機導電性材料は、カーボンペーストである実施例３に記載のタッチパネル。
【００１９】
実施例５、前記バッファ層は、前記可視領域電極及び前記金属信号線との間の付着力を高めるためのものであって、前記無機導電性材料の安定性によって、前記可視領域電極と前記金属信号線の信号の伝送安定性を更に高める実施例３に記載のタッチパネル。
【００２０】
実施例６、前記金属信号線は、3μm〜15μm範囲内の第一厚みを有し、前記バッファ層は、3μm〜15μm範囲内の第二厚みを有し、前記可視領域電極は、7μm以下の第三厚みを有する実施例２に記載のタッチパネル。
【００２１】
実施例７、タッチセンサーを含むタッチパネルであって、前記タッチセンサーは、可視領域電極と、金属信号線と、前記可視領域電極と前記金属信号線との間に配置されているバッファ層と、を含むタッチパネル。
【００２２】
実施例８、前記バッファ層は、前記可視領域電極と前記金属信号線と密接され、前記バッファ層は、無機導電性材料であり、前記バッファ層は、可視領域電極と前記金属信号線との間の付着力を高めるためのものであって、前記無機導電性材料の安定性によって、前記可視領域電極と前記金属信号の信号の伝送安定性を更に高めるタッチパネル。
【００２３】
実施例９、前記金属信号線は、3μm〜15μm範囲内の第一厚みを有し、前記バッファ層は、3μm〜15μm範囲内の第二厚みを有し、前記可視領域電極は、7μm以下の第三厚みを有する実施例７に記載のタッチパネル。
【００２４】
実施例１０、タッチセンサーを含むタッチパネルであって、前記タッチセンサーは、可視領域電極と、金属信号線と、電気的な接続を強化するように、前記可視領域電極と前記金属信号線との間に配置される接続強化装置とを備えるタッチパネル。
【産業上の利用可能性】
【００２５】
上記内容を踏まえ、本考案は、タッチセンサーを含むタッチパネルであって、前記タッチセンサーは可視領域電極と、前記可視領域電極に設置されたバッファ層と、金属信号線であって、前記バッファ層に設置され、前記金属信号線と前記可視領域との間の付着力を上げ、前記バッファ層の安定性によって前記可視領域電極と前記金属信号線の信号の伝送安定性を高める前記金属信号線と、を有するタッチパネルを提供しており、確実に進歩性及び新規性を有している。
【００２６】
従って、当業者が上記実施例に基づいて変更、修正、調整したものは、添付の本考案の権利範囲の保護範囲に含まれるものと解すべきである。
【符号の説明】
【００２７】
１    従来技術のタッチパネル
１１  従来技術のタッチセンサー
１１１可視領域電極
１１２金属信号線
１１３透明基板
２    タッチパネル
２１  タッチセンサー
２１１バッファ層
【図１】
0003194882.tif 000003
【図２】
0003194882.tif 000004
【図３】
0003194882.tif 000005